(57)【要約】【課題】エネルギーコストの低減が可能であり、有害昆虫等に対する対処も容易な植物栽培装置を提供することを目的とする。【解決手段】溝状の養液槽３と、照明手段と、植物を保持する複数の植物保持具を有し、養液槽３に培養液が満たされ、複数の植物保持具に植物を保持した状態で当該複数の植物保持具が養液槽３に設置され、照明手段で植物に光が照射され、養液槽３の一端側から他端側に向かって植物保持具が移動される。天面と側面が覆われた筒状空間２内に養液槽３の液面があり、筒状空間２内に照明手段が設置されている。【選択図】図４
2017158437.tif 000002
【特許請求の範囲】
【請求項１】
溝状の養液槽と、照明手段と、植物を保持する複数の植物保持具を有し、
養液槽に培養液が満たされ、複数の植物保持具に植物を保持した状態で当該複数の植物保持具が養液槽に設置され、前記照明手段で植物に光が照射され、養液槽の一端側から他端側に向かって植物保持具が移動される植物栽培装置において、
天面と側面が覆われた筒状空間内に前記養液槽の液面があり、筒状空間内に照明手段が設置されていることを特徴とする植物栽培装置。
【請求項２】
養液槽は排水口を有し、当該排水口は養液槽の底から一定の高さを有する位置に開口し、養液槽の液位を一定に保つことが可能であることを特徴とする請求項１に記載の植物栽培装置。
【請求項３】
養液槽に培養液を供給する培養液供給口と、培養液タンクと、ポンプを有し、養液槽は排水口を有し、前記排水口と、培養液タンクと、ポンプと、培養液供給口が配管接続されていて、培養液が循環することを特徴とする請求項１又は２に記載の植物栽培装置。
【請求項４】
植物保持具は、植物を保持する状態で培養液に浮くものであり、外力を受けて養液槽を流れるものであることを特徴とする請求項１乃至３のいずれかに記載の植物栽培装置。
【請求項５】
請求項１乃至４のいずれかに記載の植物栽培装置が複数段及び／又は複数列に渡って設置されていることを特徴とする植物栽培システム。
【発明の詳細な説明】
【技術分野】
【０００１】
本発明は、農作物等の植物を連続的に栽培する植物栽培装置及び植物栽培システムに関するものである。
【背景技術】
【０００２】
農作物を建屋内で連続的に栽培する植物栽培装置が知られている。植物栽培装置は、作物工場と通称される栽培形態に使用されるものである。即ち植物栽培装置は、人工照明を使用して作物に適度の日照を与えると共に、建屋内や室内を生育に適した温度や湿度に保って作物を育成する装置である。
植物栽培装置によると、日照や温度、水分、肥料濃度等が適度に制御された環境で作物を作ることができるので、露地栽培に比べて収穫に要する期間が短い。
また植物栽培装置の多くは水耕栽培によって作物を育成するものであり、露地栽培に比べて清潔である。さらに室内で作物を栽培するので害虫が付かず、無農薬で作物を栽培することができる。そのため植物栽培装置は、レタス等の皮を剥いたりせずに食する野菜を栽培するのに好適である。
【０００３】
特許文献１，２に開示された植物栽培装置は、極めて低速で進行するコンベア装置を主体とするものである。そしてコンベア装置の始端部に、苗を植えつけた栽培トレイを載置し、当該栽培トレイを生育エリアに移動させる。生育エリアでは人工照明によって日照が確保されている。そして前記した栽培トレイを、コンベア装置に乗せて、生育エリアをゆっくりと進める。
栽培トレイがコンベア装置の末端に至ったときには、苗が収穫可能な大きさに成長している。
【先行技術文献】
【特許文献】
【０００４】
【特許文献１】特開平２−６０５２９号公報
【特許文献２】特開２００１−７８５７７号公報
【発明の概要】
【発明が解決しようとする課題】
【０００５】
従来技術の植物栽培装置は、建屋内や部屋内の全体の環境が、対象となる植物の生育に適した温度や湿度に保たれる。
そのため環境を維持するために多くの熱や冷熱が必要であり、エネルギーコストが高いという不満がある。
また前記した様に従来技術の植物栽培装置は、建屋全体や部屋全体の環境が対象となる植物の生育に適した温度や湿度に保たれるので、育成条件の異なる植物を混栽することは困難である。
例えば、高温多湿を好む作物と、冷涼な環境を好む作物を同じ建屋や部屋で同時に栽培することは困難である。
【０００６】
さらに従来技術の植物栽培装置では、建屋内や部屋内にモンシロチョウやアブラムシ、バッタ等の有害昆虫等が侵入することは禁忌であり、建屋等の出入口や換気窓等には厳重な害虫侵入防止措置が取られる。万一、有害昆虫等が侵入すると、この駆除は誠に困難である。即ち植物栽培装置では、原則として農薬を使用しない。そのため、数日間に渡って作物の栽培を停止しなければならない場合もある。
【０００７】
本発明は、従来技術の植物栽培装置の上記した問題点に注目し、エネルギーコストの低減が可能であり、有害昆虫等に対する対処も容易な植物栽培装置を提供することを目的とする。
【課題を解決するための手段】
【０００８】
上記した課題を解決するための態様は、溝状の養液槽と、照明手段と、植物を保持する複数の植物保持具を有し、養液槽に培養液が満たされ、複数の植物保持具に植物を保持した状態で当該複数の植物保持具が養液槽に設置され、前記照明手段で植物に光が照射され、養液槽の一端側から他端側に向かって植物保持具が移動される植物栽培装置において、天面と側面が覆われた筒状空間内に前記養液槽の液面があり、筒状空間内に照明手段が設置されていることを特徴とする植物栽培装置である。
【０００９】
本発明によると、環境調整は、一連の筒状空間内だけで足るので、調整対象の空間が小さく、環境調整に要するエネルギーが少なくて足る。
本発明の植物栽培装置は、害虫が侵入した場合の駆除についても容易である。即ち本発明によると、駆除対象となる空間が小さい上、害虫の成虫や幼虫、卵等がひそみ難いので、害虫が侵入した場合の駆除も容易である。
【００１０】
養液槽は排水口を有し、当該排水口は養液槽の底から一定の高さを有する位置に開口し、養液槽の液位を一定に保つことが可能であることが望ましい。
【００１１】
養液槽に培養液を供給する培養液供給口と、培養液タンクと、ポンプを有し、養液槽は排水口を有し、前記排水口と、培養液タンクと、ポンプと、培養液供給口が配管接続されていて、培養液が循環することが望ましい。
【００１２】
植物保持具は、植物を保持する状態で培養液に浮くものであり、外力を受けて養液槽を流れるものであることが望ましい。
【００１３】
植物栽培システムとしての態様は、上記した植物栽培装置が複数段及び／又は複数列に渡って設置されていることを特徴とする。
【００１４】
筒状空間の内面の一部又は全部は、反射率が４０パーセント以上であることが望ましい。
【００１５】
反射率は、光の波長によって変わるが、本態様では太陽光を基準とする。
【００１６】
筒状空間の外周面を水冷する水冷手段を有することが望ましい。
【００１７】
照明手段の発熱によって筒状空間内の温度が過度に上昇する。本態様は、筒状空間の外周面を水冷する水冷手段を有するので、筒状空間内の過度の温度上昇を抑制することができる。
照明手段は、筒状空間の天井部に設けられる場合が多いから、筒状空間の屋根部分を水冷することが望ましい。
【００１８】
筒状空間の高さが植物栽培装置の長手方向の位置で相違することが望ましい。
【００１９】
本態様の植物栽培装置は、高さを苗の生育に合わせて適切な高さとすることができる。
【００２０】
植物栽培システムの態様として、構造及び／又は筒状空間内の環境が異なる複数の植物栽培装置があることが望ましい。
【００２１】
筒状空間内の気圧が大気に比べて正圧に保たれていることが望ましい。
【００２２】
前記した各態様において、送風して筒状空間内の空気を動かす送風手段を有し、前記送風手段は、エリアごとに送風量を異ならせる送風量調整手段を有することが望ましい。
【００２３】
本態様によると、筒状空間内に風を起こし、自然に近い環境を作り、その環境下で植物を育成することができる。
【００２４】
送風手段は、筒状空間内に挿通された送風路形成部材を有し、送風路形成部材は複数の送風口を有し、当該送風口から筒状空間内に送風されることが望ましい。
【００２５】
送風口を開閉あるいは開度調整する風量調整手段を有することが望ましい。
【００２６】
送風路形成部材内に複数の送風機が間隔を開けて直列的に内蔵され、上流側の送風機の送風側と下流側の送風機の吸入側の間に送風口があることが望ましい。
【００２７】
植物の育成には１０日から５０日程度の日数を要する。そのため筒状空間の全長は相当に長いものとなり、送風路形成部材についても相当に長いものとならざるを得ない。そのため送風路形成部材の端部にのみ送風機を設けて送風する構成では、送風路形成部材の末端まで風を送りだすことが困難である。
そこで本態様では、送風路形成部材内に複数の送風機が間隔を開けて直列的に内蔵する構成を採用している。
【発明の効果】
【００２８】
本発明の植物栽培装置及び植物栽培システムは、エネルギーコストの低減が可能であり、有害昆虫等に対する対処も容易である。
【図面の簡単な説明】
【００２９】
【図１】本発明の実施形態の植物栽培システムの全景を表す斜視図である。
【図２】図１の植物栽培システムで使用されている植物栽培装置の斜視図である。
【図３】（ａ）は図２の育苗ユニットの内部構造を示す正面図であり、（ｂ）はその屋根部の一部拡大断面図であり、（ｃ）は屋根部内面の発光素子の分布を説明する説明図である。
【図４】図２の植物栽培装置の支持枠の一部及び育苗ユニットの斜視図である。
【図５】植物栽培装置の分解斜視図である。
【図６】（ａ）は植物栽培装置と支持枠との関係を示す斜視図であり、（ｂ）は（ａ）のＡ−Ａ断面図であり、（ｃ）は（ａ）のＢ−Ｂ断面図及びその一部拡大図である。
【図７】植物栽培装置に内蔵されている送風路形成部材の斜視図である。
【図８】図７の送風路形成部材の分解断面斜視図である。
【図９】図７の送風路形成部材の送風口近傍の断面図であり、（ａ）は送風口が全開の状態を示し、（ｂ）は送風口が半開の状態を示し、（ｃ）は送風口が全閉の状態を示す。
【図１０】図２の植物栽培装置の養液槽と植物保持具を分離した状態の斜視図である。
【図１１】図２の植物栽培装置の養液槽に植物保持具を浮かべた状態の斜視図である。
【図１２】図２の植物栽培装置の側面断面図である。
【図１３】本発明の他の実施形態の植物栽培装置の斜視図である。
【図１４】（ａ）は図１３の植物栽培装置の正面断面図であり、（ｂ）は側面断面図である。
【発明を実施するための形態】
【００３０】
以下さらに本発明の実施形態について説明する。
本発明の実施形態の植物栽培装置１は、図２の様に一連の筒状空間２を有し、この筒状空間２の中で植物を栽培するものである。また本発明の実施形態の植物栽培システム１００は、図２の植物栽培装置１が複数、立体的に配置されたものである。即ち植物栽培システム１００は、図１の様に植物栽培装置１が複数段且つ複数列に渡って設置されたものである。
本実施形態では支持枠２０があり、当該支持枠２０に植物栽培装置１が複数固定されて植物栽培システム１００が構成されている。
【００３１】
植物栽培装置１は、図１の様に支持枠２０支持されており、図３、図４、図５の様に溝状の養液槽３と、側面部材７ａ，７ｂ、屋根部材６を有している。また屋根部材６の内面に照明基板（照明手段）２４１が設けられている。
養液槽３は培養液で満たされ、筒状空間２内に養液槽の液面があり、植物保持具３０が複数浮かべられている。さらに植物栽培装置１は、送風路形成部材６５を備えている。
【００３２】
養液槽３は、溝状の水槽であり、底１３と、長手の側面１０ａ，１０ｂと、短手の側面１１ａ，１１ｂが壁で覆われており、上面が開放されている。
養液槽３は細長く、深さは浅い。養液槽３の内面は、防水処理が施されていて内部に水（培養液）を溜めることができる。
【００３３】
養液槽３の長手方向の一端近傍には、排水口８が設けられている。また養液槽３の長手方向の他端近傍には、培養液供給口３５が設けられている。
排水口８は、具体的にはオーバーフロー管７であり、開口部（排水口８）は、養液槽３の底１３から一定の高さの位置にある。
即ちオーバーフロー管７は、養液槽３の底１３を上下に貫通する管であり、先端側の排水口８は養液槽３の底１３から立ち上がった位置にある。オーバーフロー管７の排水口８は、余剰の培養液を排出する機能を有し、養液槽の液位を一定に保つ。
【００３４】
本実施形態では、養液槽３と、側面部材７ａ，７ｂ及び屋根部材６でトンネル状の筒状空間２が形成されている。
本実施形態では、屋根部材６は支持枠２０の上桟２３に支持されている。
支持枠２０は、図６の様に柱２１が２列に渡って設けられたものであり、各列の柱２１に上桟２３と下桟２５が渡されている。上桟２３及び下桟２５は、いずれも植物栽培装置１の全長にわたる長さを有している。
【００３５】
柱２１には図６の様に取り付け孔２２が高さ方向に複数設けられており、いずれかの取り付け孔２２を利用して上桟２３が固定されている。本実施形態では、取り付け孔２２を選択することにより、上桟２３の高さを任意に変更することができる。
本実施形態では、屋根部材６は支持枠２０の上桟２３に支持されており、上桟２３の高さを変更することにより、屋根部材６はの高さを任意に変更することができる。即ち本実施形態では、屋根部材６の養液槽３に対する高さを変更することができる。
【００３６】
側面部材７ａ，７ｂは、支持枠２０の上桟２３と下桟２５に取り付けられており、実質的に屋根部材６と養液槽３の間の隙間を封鎖している。
本実施形態では、上桟２３と下桟２５にそれぞれ溝状の係合金具２６，２７が設けられている。上桟２３の係合金具２６は溝状であって下に開き、下桟２５の係合金具２７は溝状であって下に開いている。
そして係合金具２６，２７に側面部材７ａ，７ｂの上下の辺が係合している。
側面部材７ａ，７ｂは容易に撓むものであり、側面部材７ａ，７ｂを撓ませて係合金具２６，２７に着脱することができる。
【００３７】
側面部材７ａ，７ｂは、有色の樹脂または金属で作られており、不透明である。
側面部材７ａ，７ｂの内面は、光の反射性が高い。本実施形態では、側面部材７ａ，７ｂの内面にアルミシート等の反射性シートが設けられている。側面部材７ａ，７ｂは断熱性を有している。具体的には、側面部材７ａ，７ｂは、断面形状がダンボール状の樹脂板にアルミシートが貼りつけられたものであり、光の反射性が高く、且つ断熱性能も高い。反射性シートに代わって、反射性の塗料が塗布されていてもよい。
また屋根部材６の内面には後記する様に反射板２４２が取り付けられている。
そのため筒状空間２の内面は、太陽光を基準として４０パーセント以上の反射率を有している。また筒状空間２の内面は、６０パーセント以上の反射率を有することが望ましく、さらに８０パーセント以上の反射率を有することが推奨される。
【００３８】
屋根部材６は円弧形状であり、前記した様に支持枠２０の上桟２３に支持されている。
屋根部材６はステンレススチール等の錆びにくく、且つ熱伝導性に優れた素材で作られている。
図３の様に屋根部材６の外周面は、保湿部材２４０で覆われている。保湿部材２４０は、不織布等の布やマット等であり、屋根部材６の外周面に水の層を薄く形成されるものである。
【００３９】
屋根部材６の峰の部分には管３６が設けられている。管３６には小孔が複数設けられている。屋根部材６の軒の部分には冷却水回収用樋３７が形成されている。本実施形態においては、屋根部材６の峰の部分には管３６が設けられており、管３６から放水して屋根部材６を冷却することができる。特に本実施形態では、屋根部材６の外周面に保湿部材２４０が設けられているから、屋根部材６は常時湿った状態となり、気化熱を奪って屋根部材６を冷却する。
【００４０】
また本実施形態では、図３の様に屋根部材６を構成する金属板に、照明基板（照明手段）２４１が直接取り付けられている。照明基板２４１は、薄い樹脂製の基板に発光素子としてＬＥＤ２４３が取り付けられたものである。
従ってＬＥＤ２４３が生じる熱は、直接的に屋根部材６を構成する金属板に伝熱され、外部に放熱される。
本実施形態では、ＬＥＤ２４３は、微小時間間隔で点滅する様に制御されている。即ち肉眼では、連続して発光している様に感じる程度の間隔で点滅する。
【００４１】
また本実施形態では、屋根部材６の内面に反射板２４２が取り付けられている。反射板２４２は、屋根部材６の内面の円弧に沿う円弧状を有し、屋根部材６の内側全面を網羅している。ただしＬＥＤ２４３が存在する部分には、反射板２４２に孔２４５が設けられており、当該孔２４５を介してＬＥＤ２４３の光が植物保持具３０に照射される。
なお本実施形態では、反射板２４２の外側（植物保持具３０側）にさらに透明樹脂２４６が設けられている。透明樹脂２４６は、反射板２４２の孔２４５の部分についても覆い、ＬＥＤ２４３側に水が侵入することを防いでいる。
【００４２】
本実施形態では、屋根部材６の内面に設けられた発光素子（ＬＥＤ２４３）の分布は一様ではない。
具体的には、天面の頂点近傍においてはＬＥＤ２４３の配置密度が天面の裾領域に比べて低い。
即ち本実施形態では、照明装置は円弧状に湾曲したケース５内にある。ここで図３（ｃ）のＡ領域の様に、天面の頂点近傍にあるＬＥＤ２４３は、真下に向いて光を照射する。そのため天面の頂点近傍にあるＬＥＤ２４３は、植物保持具３０の中央領域を照らすこととなる。
これに対して図３（ｃ）のＢ領域の様に、裾の部分に設けられたＬＥＤ２４３は斜め方向に光を照射する。そのため裾の部分に設けられたＬＥＤ２４３は、植物保持具３０の端から中央領域にかける領域を照らすこととなる。
そのため屋根部材６の内面に発光素子を均一に分布させると、植物保持具３０の中央領域の光量が辺部に比べて多くなる。そこで本実施形態では、天面の頂点近傍のＬＥＤ２４３の単位面積当たりの個数を少なくしている。
【００４３】
本実施形態の植物栽培装置１では、図３、図４の様に筒状空間２内に送風路形成部材６５が内蔵されている。送風路形成部材６５は、図７の様に樹脂で作られた本管８０と、本管８０の周囲に設けられた多数の風量調整手段８１及び本管８０に内蔵された小型送風機８５によって構成されている。
【００４４】
送風路形成部材６５の本管８０には図８の様に多数の送風口８４が設けられている。送風口８４は円形の開口である。
風量調整手段８１は、本管８０よりもやや太い径の樹脂管を短く切り、且つ軸方向にスリット８２を形成したものである。風量調整手段８１の断面形状は「Ｃ」状である。
風量調整手段８１は、本管８０の送風口８４に装着されている。即ち風量調整手段８１は、本管８０の周囲を取り巻く状態で本管８０に装着されている。
風量調整手段８１は、本管８０に対して回転可能であり、送風口８４の開度を調節することができる。即ち図９（ａ）の様にスリット８２を送風口８４の位置に合わせることによって送風口８４の実質的開口面積を１００パーセントとすることができる。また図９（ｃ）の様にスリット８２を送風口８４の反対側に回すと、送風口８４を閉鎖することができる。図９（ｂ）の様にスリット８２の一部を送風口８４と合致させることにより、送風口８４の実質的開口面積を絞ることができる。
【００４５】
本管８０には内径の大きい太管８３が直列に接続されており、当該太管８３内に小型送風機８５が内蔵されている。小型送風機８５を駆動するモータ８６は、直流モータ等の回転数を任意に変更できるものである。小型送風機８５は軸流ファンである。
【００４６】
次に培養液の循環路について説明する。
本実施形態の植物栽培装置１では、図４の様に植物栽培装置１の下部に培養液供給装置２０６がある。培養液供給装置２０６は培養液タンク２０７とポンプ２０８を備えている。そして培養液タンク２０７とポンプ２０８の吸い込み側が配管接続され、さらにポンプ２０８の吐出側と培養液供給口３５が配管接続されている。さらに養液槽３に設けられたオーバーフロー管７が培養液タンク２０７に配管接続されている。そのため、ポンプ２０８を起動すると、培養液タンク２０７内の培養液がポンプ２０８で加圧されて培養液供給口３５に送られ、養液槽３に供給される。また培養液はオーバーフロー管７によって構成される排水口８から排水されて培養液タンク２０７に戻る。こうして培養液は、養液槽３と培養液タンク２０７の間を循環する。
【００４７】
植物保持具３０は、比重の軽い素材で作られた板であり、複数の開口３１が設けられている。開口３１には植物の苗が保持される。植物保持具３０は、浮力が強く、単体で水に浮くばかりでなく、植物を保持した状態であっても沈まない。
植物保持具３０は、開口３１に植物が保持された状態で、養液槽３の培養液に浮かされる。
【００４８】
植物栽培システム１００は、前記した様に植物栽培装置１が複数段且つ複数列に渡って設置されたものである。
本実施形態では、屋根部材６の高さは全体として勾配が付けられており、図１２の様に、右側の高さが低く、左側に行くほど屋根部材６の高さが高くなってゆく。即ち、植物保持具３０の流れ方向を基準として、上流側は屋根部材６の高さが低く、下流側は屋根部材６の高さが高い。
【００４９】
本実施形態では、養液槽３に植物保持具３０が複数浮かべられ、植物保持具３０は外力によって図１、図１２の矢印の方向に進められる。即ち養液槽３の水面を覆うように植物保持具３０が敷きつめられ、植物保持具３０が養液槽３の水面に浮かされている。そのため人力によって、養液槽３上の植物保持具３０を押すと、植物保持具３０は容易に移動する。即ち植物保持具３０は、筏のごとく養液槽３の水面に浮いており、上流側にある植物保持具３０を押すと、植物保持具３０は下流側に流れてゆく。また下流側に流れた植物保持具３０は、隣接する植物保持具３０を押し、当該植物保持具３０も下流側に流れる。結果的に、養液槽３に浮かべられた全ての植物保持具３０が下流側に流れてゆく。
【００５０】
次に、本実施形態の植物栽培装置１の機能について説明する。
本実施形態の植物栽培装置１では、養液槽３に培養液が満たされる。そのため筒状空間２内に養液槽の液面があり、液面は筒状空間２で覆われている。そして植物保持具３０の開口３１に植物の苗を保持させ、養液槽３の上流側に浮かべられる。
また照明基板（照明手段）２４１によって苗の成長に要する光が供給される。本実施形態では、筒状空間２の内面で光が反射するから、筒状空間２の内壁に当たった光も反射して苗に当たる。
さらに図示しない空調設備等によって、筒状空間２内の温度、湿度及び二酸化炭素濃度が調節される。
なお外気の侵入を防いで筒状空間２内の環境を維持する目的と、筒状空間２内に埃等が侵入することを防ぐ目的から、筒状空間２は大気に比べてやや正圧に保っておくことが望ましい。
【００５１】
筒状空間２内の養液槽３に浮かべられた植物保持具３０は、一定時間ごとに下流側に移動させられる。例えば２４時間ごとに、植物保持具３０が人力で押され、植物保持具３０が下流側に流される。
【００５２】
植物栽培装置１では、１０日から３０日程度の日数をかけて植物保持具３０を始端から終端に送る。ここで、時間の経過と共に植物保持具３０に保持された苗が成長するが、本実施形態では、下流側に向かう程、屋根部材６の高さが高くなっている。そのため苗の成長を妨げず、且つ苗に対して適切に光をあてることができる。即ち幼苗の時期は、苗の丈が低い。本実施形態では、上流側は屋根部材６の高さが低く、苗と照明基板（照明手段）２４１の距離が近い。そのため苗に集中的に光を照射することができる。
その一方、苗が成長して丈が高くなる位置では屋根部材６の高さが高く、苗にまんべんなく光を照射することができる。
【００５３】
そして植物栽培装置１の終端で植物保持具３０を取り出し、成長した植物を収穫するか、あるいは植物保持具３０を再度他の植物栽培装置１に搬入して苗をより大きく成長させる。
即ち、植物栽培装置１の始端に苗を植えつけた植物保持具３０を挿入し、照明基板（照明手段）２４１を点灯して苗の葉に光を当て、苗の根から養液槽３の培養液を吸収させて苗を育てる。そして養液槽３に浮かぶ植物保持具３０を押して下流側へ流し、筒状空間２内をゆっくりと移動させる。そして植物保持具３０が一つの植物栽培装置１の終端、あるいは複数の植物栽培装置１を通過して終端に至った際には、苗は食用に供される程度に成長しており、植物保持具３０から収穫されて出荷される。
【００５４】
また本実施形態の植物栽培装置１では、植物栽培装置１の温度を調整する際、補助的に冷却水供給ラインの管３６から水が放出され、照明基板（照明手段）２４１による過度の昇温が抑制される。
【００５５】
また本実施形態の植物栽培装置１では、筒状空間２内の所望のエリアに風を発生させることができる。
即ち本実施形態の植物栽培システム１００は、図示しない空調装置を有し、空調装置の排気側はダクト等によって植物栽培装置１の筒状空間２の送風路形成部材６５の本管８０に接続されている。
送風路形成部材６５は、筒状空間２を軸方向に貫通して配されるが、中途部分に小型送風機８５が設けられている。より具体的には、植物栽培装置１に一定間隔ごとに小型送風機８５が設けられている。
そして本管８０には多数の送風口８４が設けられている。
そのため空調装置の吐出側の圧力が不足していても、中途の小型送風機８５で増圧され、各送風口８４から筒状空間２を内に風を送りだすことができる。
【００５６】
また送風口８４の開度を全閉から全開まで変化させることができるので、必要な場所に風を送ることができる。
なお本実施形態では、手動によって送風口８４の開度を調節するが、モータ弁等を使用して送風口８４の開度を遠隔操作する方法も推奨される。
また送風口８４に動力で駆動するルーバーを設け、定期的に送風方向を変更することも推奨される。
送風量の制御は、モータに供給される電流、モータの回転数、送風方向といった情報に基づいて行うことができる。
【００５７】
送風路形成部材６５は複数本設けられていてもよい。例えば送風路形成部材６５を複数系統設け、送風路形成部材６５を流れる空気の温度や湿度を違えてよい。
また送風路形成部材６５を複数設け、その内の一本または複数本を吸引用に使用してもよい。例えば二酸化炭素濃度が高いエリアがあれば吸引用の送風路形成部材で当該領域の空気を吸引して置換してもよい。
【００５８】
また送風路形成部材６５には、小型送風機８５が複数設けられており、小型送風機８５同士の間に送風口８４が設けられているから、小型送風機８５の送風強度によっては一部の送風口８４が負圧傾向となる場合もある。
例えば一つの小型送風機８５の送風が弱く、その先の小型送風機８５の吸引力が強い場合には、二つの小型送風機８５の間に設けられた送風口８４は負圧傾向となり、筒状空間２内の空気を吸引する。
そのため故意に送風口８４を負圧傾向として筒状空間２内の空気を吸引し、風を起こしたり二酸化炭素等を拡散させてもよい。
送風路形成部材６５の断面形状は任意である。
【００５９】
送風口８４から放出された送風は、送風口８４の近傍に局地的な風を発生させる。即ち本実施形態では、送風して筒状空間２内の空気を動かす送風手段を有し、送風手段は、エリアごとに送風量を異ならせることができ、局地的に風を発生させることができる。
送風口８４近傍のエリアを離れると、空気の流れが緩慢となり、筒状空間２全体に拡散されて筒状空間２の圧力が上昇する。
【００６０】
本実施形態の植物栽培装置１は、培養液の液面が筒状空間２内にあり、植物を育成させる空間が筒状空間２に限定されているから、温度、湿度、二酸化炭素等を制御する空間が狭い。そのためこれらを制御するのに要するエネルギーが少ない。
また植物栽培装置１内に害虫が侵入した場合は、一条の植物栽培装置１の運転を停止させて害虫駆除を行うことができ、被害が広がらない。
また本実施形態の植物栽培装置１では、清浄に保つべき空間が、筒状空間２に限定されるから、従来の植物工場の様な厳格な害虫侵入防止措置を講じたり、大がかりな清浄装置を設置する必要はない。
そのため廃工場や倉庫に本実施形態の植物栽培装置１や植物栽培システム１００を設置して作物を生産することもできる。
また本実施形態の植物栽培システム１００は、植物を育成させる空間が筒状空間２に限定されているから、異なる植物を一つの植物栽培システム１００で育成することもできる。
【００６１】
以上説明した実施形態では、屋根部材６の形状が円弧形状であったが、本発明はこの構成に限定されるものではなく、図１３、図１４に示す植物栽培装置５０の様に平板状の屋根部５１であってもよい。
図１３、図１４に示す植物栽培装置５０では、照明手段として、棒状の発光装置５２が採用されている。発光装置５２は、棒状の基板にＬＥＤ等の発光素子５３が多数設けられたものである。
【符号の説明】
【００６２】
１  植物栽培装置
２  筒状空間
３  養液槽
７  オーバーフロー管
８  排水口
３０  植物保持具
３５  培養液供給口
５０  植物栽培装置
５３  発光素子
６５  送風路形成部材
１００  植物栽培システム
２４１  照明基板（照明手段）
２０６  培養液供給装置
２０７  培養液タンク
２０８  ポンプ
２４３  ＬＥＤ（発光素子）
【図１】
2017158437.tif 000003
【図２】
2017158437.tif 000004
【図３】
2017158437.tif 000005
【図４】
2017158437.tif 000006
【図５】
2017158437.tif 000007
【図６】
2017158437.tif 000008
【図７】
2017158437.tif 000009
【図８】
2017158437.tif 000010
【図９】
2017158437.tif 000011
【図１０】
2017158437.tif 000012
【図１１】
2017158437.tif 000013
【図１２】
2017158437.tif 000014
【図１３】
2017158437.tif 000015
【図１４】
2017158437.tif 000016